【手続補正書】
【提出日】平成21年2月6日(2009.2.6)
【手続補正１】
【補正対象書類名】特許請求の範囲
【補正対象項目名】全文
【補正方法】変更
【補正の内容】
【特許請求の範囲】
【請求項１】
被写体の光学像を撮像する撮像手段と、
前記撮像手段から出力される画像信号のゲインを調整するゲイン調整手段と、
前記ゲイン調整手段によってゲイン調整された画像信号を処理する信号処理手段であって、画像信号中のノイズを低減するための第１のノイズ低減手段を具備する信号処理手段と、
前記信号処理手段の出力画像信号を圧縮符号化する画像圧縮手段であって、画像信号中のノイズを低減するための第２のノイズ低減手段を具備する画像圧縮手段と、
前記ゲイン調整手段によってゲイン調整された画像信号に対して前記第１のノイズ低減手段がノイズ低減処理を行う場合、前記第２のノイズ低減手段によるノイズ低減処理をオフにするよう制御する制御手段
とを具備することを特徴とする撮像装置。
【請求項２】
前記第１及び第２のノイズ低減手段のそれぞれが、３次元フィルタ処理手段を具備することを特徴とする請求項１に記載の撮像装置。
【請求項３】
前記第１及び第２のノイズ低減手段のそれぞれが、空間フィルタ処理手段を具備することを特徴とする請求項１又は２に記載の撮像装置。
【請求項４】
前記第１のノイズ低減手段によるノイズ低減処理のオン／オフを設定するための設定手段を更に備え、
前記制御手段は、前記設定手段の設定に応じて、前記第１のノイズ低減手段を制御することを特徴とする請求項１乃至３の何れか１項に記載の撮像装置。
【請求項５】
前記設定手段によって、前記第１のノイズ低減手段によるノイズ低減処理がオフに設定された場合、前記制御手段は、前記第１のノイズ低減手段によるノイズ低減処理をオフにし、前記第２のノイズ低減手段によるノイズ低減処理をオンにするよう制御することを特徴とする請求項４に記載の撮像装置。
【請求項６】
被写体の光学像を撮像する撮像手段と、
前記撮像手段から出力される画像信号のゲインを調整するゲイン調整手段と、
前記ゲイン調整手段によってゲイン調整された画像信号を処理する信号処理手段であって、入力される画像信号に対して方式の異なる複数のフィルタ処理を選択的に実行する第１のノイズ低減手段を具備する信号処理手段と、
前記信号処理手段の出力画像信号を圧縮符号化する画像圧縮手段であって、入力される画像信号に対して前記複数のフィルタ処理を選択的に実行する第２のノイズ低減手段を具備する画像圧縮手段と、
前記第１のノイズ低減手段が実行可能な前記複数のフィルタ処理のそれぞれについてオン／オフを設定する設定手段と、
前記設定手段の設定に応じて前記第１のノイズ低減手段で実行されるフィルタ処理を選択するとともに、前記第１のノイズ低減手段で実行されないフィルタ処理を前記第２のノイズ低減手段に行わせる制御手段
とを具備することを特徴とする撮像装置。
【手続補正２】
【補正対象書類名】明細書
【補正対象項目名】０００８
【補正方法】変更
【補正の内容】
【０００８】
そこで、本発明は、かかる問題点に鑑みてなされたものであり、記録画像の劣化の少ない撮像装置を提示することを目的とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
上記の目的を達成するために、本発明に係る撮像装置は、被写体の光学像を撮像する撮像手段と、前記撮像手段から出力される画像信号のゲインを調整するゲイン調整手段と、前記ゲイン調整手段によってゲイン調整された画像信号を処理する信号処理手段であって、画像信号中のノイズを低減するための第１のノイズ低減手段を具備する信号処理手段と、前記信号処理手段の出力画像信号を圧縮符号化する画像圧縮手段であって、画像信号中のノイズを低減するための第２のノイズ低減手段を具備する画像圧縮手段と、前記ゲイン調整手段によってゲイン調整された画像信号に対して前記第１のノイズ低減手段がノイズ低減処理を行う場合、前記第２のノイズ低減手段によるノイズ低減処理をオフにするよう制御する制御手段とを具備することを特徴とする。
本発明に係る撮像装置は、被写体の光学像を撮像する撮像手段と、前記撮像手段から出力される画像信号のゲインを調整するゲイン調整手段と、前記ゲイン調整手段によってゲイン調整された画像信号を処理する信号処理手段であって、入力される画像信号に対して方式の異なる複数のフィルタ処理を選択的に実行する第１のノイズ低減手段を具備する信号処理手段と、前記信号処理手段の出力画像信号を圧縮符号化する画像圧縮手段であって、入力される画像信号に対して前記複数のフィルタ処理を選択的に実行する第２のノイズ低減手段を具備する画像圧縮手段と、前記第１のノイズ低減手段が実行可能な前記複数のフィルタ処理のそれぞれについてオン／オフを設定する設定手段と、前記設定手段の設定に応じて前記第１のノイズ低減手段で実行されるフィルタ処理を選択するとともに、前記第１のノイズ低減手段で実行されないフィルタ処理を前記第２のノイズ低減手段に行わせる制御手段とを具備することを特徴とする。
【手続補正５】
【補正対象書類名】明細書
【補正対象項目名】００１１
【補正方法】変更
【補正の内容】
【００１１】
本発明によれば、ゲイン調整された画像を記録する場合に、２重にノイズ低減処理が作用することを防止でき、記録される画像の劣化を少なくすることができる。
【手続補正６】
【補正対象書類名】明細書
【補正対象項目名】００２０
【補正方法】変更
【補正の内容】
【００２０】
伸長部３６は、記録再生部３２からの圧縮画像データを伸長する。伸長部３６から出力される画像信号は、いわゆる再生画像信号であり、再生画像出力端子３８と表示装置４０に印加される。
【手続補正７】
【補正対象書類名】明細書
【補正対象項目名】００２４
【補正方法】変更
【補正の内容】
【００２４】
カムコーダ１０の撮像動作、記録動作及び再生動作を説明する。撮像モードでは、撮像素子１２は、被写体の画像信号を出力し、Ａ／Ｄ変換部１８が、撮像素子１２の出力画像信号をデジタル信号に変換して信号処理部２０に印加する。信号処理部２０は、Ａ／Ｄ変換部１８からの画像信号にγ補正及び色補正等の周知のカメラ信号処理を施す。信号処理部２０から出力される画像データは、信号処理部２０に内蔵されるフレームメモリ６４（図２）に一時的記憶され、記憶順に表示部４０の画面に表示される。これにより、ユーザは、被写体の範囲と構図を確認できる。
【手続補正８】
【補正対象書類名】明細書
【補正対象項目名】００２５
【補正方法】変更
【補正の内容】
【００２５】
記録モードでは、フレームメモリ６４に一時記憶される画像データは、圧縮部３０にも転送される。圧縮部３０は、信号処理部２０からの画像データを圧縮符号化し、圧縮画像データを記録再生部３２に転送する。記録再生部３２は、圧縮画像データを記録媒体３４に記録する。このようにして、一連の画像からなる映像データが、圧縮状態で記録媒体３４に格納される。
【手続補正９】
【補正対象書類名】明細書
【補正対象項目名】００２７
【補正方法】変更
【補正の内容】
【００２７】
図２は、信号処理部２０のノイズ低減部２０ａの概略構成ブロック図を示す。信号処理部２０は、輝度信号（Ｙ）及び色差信号（Ｃｒ，Ｃｂ）を生成し、輝度信号に対するノイズ低減部と色差信号に対するノイズ低減部を具備するが、説明を簡略化するために、図２では、輝度信号（Ｙ）に作用する部分だけを図示してある。Ａ１，Ｂ１，Ｃ１は、システム制御装置４４からの制御信号を示す。
【手続補正１０】
【補正対象書類名】明細書
【補正対象項目名】００３５
【補正方法】変更
【補正の内容】
【００３５】
図４において、フレームＦ（ｎ−１），Ｆ（ｎ），Ｆ（ｎ＋１）は、順にフレームメモリ５６，５８，６０に格納されている画像データを示す。すなわち、フレームＦ（ｎ）はフレームメモリ５８に格納されている画像データである。フレームＦ（ｎ）の画像ブロック８２が、フレームＦ（ｎ−１）及びフレームＦ（ｎ＋１）の対応する画像ブロック８０，８４とブロック単位で比較される。そして、どちらの差も所定閾値よりも小さい場合、フレームＦ（ｎ）は静止画であると判断され、フレームＦ（ｎ−１），Ｆ（ｎ）及びＦ（ｎ＋１）の対応する画素で平均化される。何れかでも所定閾値より大きい場合、フレームＦ（ｎ）は動画であると判断され、フレームＦ（ｎ）の画素値がそのまま出力される。静止画に対する平均化処理により、ノイズが低減されることは周知である。
【手続補正１１】
【補正対象書類名】明細書
【補正対象項目名】００３６
【補正方法】変更
【補正の内容】
【００３６】
図５は、３０フレーム／秒の画像信号に対する３次元フィルタ処理特性の例を示す。横軸は、フレーム周波数を示し、縦軸はゲインを示す。特性８６は、３次元フィルタ処理を施されない画像ブロックの特性を示し、特性８８は、３次元フィルタ処理を施される画像ブロックの特性を示す。
【手続補正１２】
【補正対象書類名】明細書
【補正対象項目名】００４７
【補正方法】変更
【補正の内容】
【００４７】
一方、ゲインアップの設定がオンの場合（Ｓ１１）、システム制御装置４４は、ゲインアップを指示する制御信号ＳをＣＤＳ／ＡＧＣ１８ａに出力する。